(57)【要約】【課題】建物の床部及び天井部の構成の複雑化を招くことなく、重量床衝撃音を低減することができる建物を得る。【解決手段】軽量気泡コンクリート製の床パネル３８で建物１０の二階部分１６における床部２８の一部が構成されている。一方、二階部分１６と建物上下方向に隣接した一階部分１４における天井部２６は、その一部が石膏ボード製の天井材３４で構成されている。このため、建物１０の二階部分１６の床部２８上に物が落ちたり、床部２８上を人が動いたときに発生する重量床衝撃音が建物１０の一階部分１４に伝達することを抑制することができる。さらに、床パネル３８にマス部５８が配置されており、当該マス部５８は当該床パネルの振動の腹側の部分に対して固定されている。これにより、建物１０の二階部分１６の床部２８で発生する重量床衝撃音の発生を抑制することができる。【選択図】図１
2017155437.tif 000002
【特許請求の範囲】
【請求項１】
建物の上階における床部の一部を構成すると共に、当該床部を支持する梁材の建物上方側の面に配置された軽量気泡コンクリート製の床パネルと、
前記上階と建物上下方向に隣接した前記建物の下階における天井部の一部を構成すると共に、前記梁材の建物下方側に配置された石膏ボード製の天井材と、
前記床パネルの振動の腹側の部分に対して固定されていると共に当該床パネルの建物下方側に配置されたマス部と、
を有する建物。
【請求項２】
前記床パネルには、前記マス部を当該床パネルに対して固定する締結部材の軸部を挿通可能な挿通部と、当該挿通部の建物上方側に当該挿通部と連続して設けられて当該締結部材の頭部が納まると共に当該頭部が建物上方側から着座可能な凹部と、が設けられている、
請求項１記載の建物。
【請求項３】
前記床パネルの建物上方側の面には、遮音マットが敷設されている、
請求項２に記載の建物。
【請求項４】
前記マス部と、当該マス部を一端部側の建物下方側で支持しかつ他端部側が前記締結部材で前記床パネルの振動の腹となる部分における建物下方側の面に支持された板ばね部と、当該一端部側における建物上方側に取り付けられて当該床パネルに当接された減衰体と、を含んで構成された制振装置を備えている、
請求項２又は請求項３に記載の建物。
【請求項５】
前記締結部材は、一対の前記軸部を備えると共に、前記頭部は当該軸部の建物上方側の部分同士を連結する連結板部を含んで構成されており、
前記凹部は、一対の前記軸部がそれぞれ挿通されている一対の前記挿通部を当該挿通部の建物上方側で接続しており、
前記板ばね部の前記他端部には、一対の前記軸部が挿通されている一対の挿通孔が形成されている、
請求項４に記載の建物。
【請求項６】
前記凹部は、平面視で円形に形成された第１円形凹部と、平面視で円形に形成された第２円形凹部と、が局部的に連通されて構成されており、
前記連結板部は、平面視で円形に形成されて前記第１円形凹部に納まる第１円板部と、平面視で円形に形成されて前記第２円形凹部に納まる第２円板部と、が局部的に連結されて構成されている、
請求項５に記載の建物。
【発明の詳細な説明】
【技術分野】
【０００１】
本発明は、建物に関する。
【背景技術】
【０００２】
下記特許文献１には、建物の床・天井構造に関する発明が開示されている。この建物の床・天井構造では、下階側の天井下地材が上階側の床梁材に防振吊り具を介して吊り下げ支持されており、この天井下地材には複数のダイナミックダンパーが配置されている。また、床梁材の上側フランジ部の上面には、床パネルが敷設されており、当該床パネルには複数の中空部が形成されると共に、当該中空部には袋詰めされた砂状無機材が充填されている。つまり、下記先行技術では、天井下地材へのダイナミックダンパーの分散配置及び床パネルへの重量付加による重量床衝撃音に対する遮音対策が講じられている。
【先行技術文献】
【特許文献】
【０００３】
【特許文献１】特許第５５０５１９９号公報（図１）
【発明の概要】
【発明が解決しようとする課題】
【０００４】
しかしながら、上記特許文献１に開示された建物の床・天井構造では、建物の床部及び天井部の構成が複雑化し、施工性の悪化やコストアップを招くことが考えられる。
【０００５】
本発明は上記事実を考慮し、建物の床部及び天井部の構成の複雑化を招くことなく、重量床衝撃音を低減することができる建物を得ることが目的である。
【課題を解決するための手段】
【０００６】
第１の態様に係る建物は、建物の上階における床部の一部を構成すると共に、当該床部を支持する梁材の建物上方側の面に配置された軽量気泡コンクリート製の床パネルと、前記上階と建物上下方向に隣接した前記建物の下階における天井部の一部を構成すると共に、前記梁材の建物下方側に配置された石膏ボード製の天井材と、前記床パネルの振動の腹側の部分に対して固定されていると共に当該床パネルの建物下方側に配置されたマス部と、を有している。
【０００７】
第１の態様に係る建物では、軽量気泡コンクリート製の床パネルで建物の上階における床部の一部が構成されており、当該床パネルは当該床部を支持する梁材の建物上方側の面に配置されている。一方、上階と建物上下方向に隣接した建物の下階における天井部は、その一部が石膏ボード製の天井材で構成されており、当該天井材は上階の床部を支持する梁材の建物下方側に配置されている。このため、本態様では、建物の上階側の床部上に物が落ちたり、床部上を人が動いたときに発生する重量床衝撃音が建物の下階側に伝達することを抑制することができる。
【０００８】
さらに、本態様では、床パネルの建物下方側にマス部が配置されており、当該マス部は当該床パネルの振動の腹側の部分に対して固定されている。これにより、建物の上階側の床部上に物が落ちたり、床部上を人が動いたときに床パネルに発生する振動を抑制することができ、ひいては重量床衝撃音の発生を抑制することができる。
【０００９】
第２の態様に係る建物は、第１の態様に係る建物において、前記床パネルには、前記マス部を当該床パネルに対して固定する締結部材の軸部を挿通可能な挿通部と、当該挿通部の建物上方側に当該挿通部と連続して設けられて当該締結部材の頭部が納まると共に当該頭部が建物上方側から着座可能な凹部と、が設けられている。
【００１０】
第２の態様に係る建物では、マス部の固定に用いられる締結部材の軸部が、床パネルの挿通部に建物上方側から挿通される。一方、この締結部材の頭部は、床パネルの凹部に納まると共に建物上方側から当該凹部に着座される。そして、この締結部材の軸部に床パネルの建物下方側から被締結部材が締結されることでマス部を床パネルに対して固定することができる。
【００１１】
第３の態様に係る建物は、第２の態様に係る建物において、前記床パネルの建物上方側の面には、遮音マットが敷設されている。
【００１２】
第３の態様に係る建物では、床パネルの建物上方側の面に遮音マットを敷設することで、建物の上階側の下階側に対する遮音性を高めることができる。また、遮音マットによって、マス部の固定に用いられる締結部材の頭部が納まる凹部が建物上方側から覆われるため、建物の上階側の床部にフローリング等を敷設するときの施工性を確保することができる。
【００１３】
第４の態様に係る建物は、第２の態様又は第３の態様に係る建物において、前記マス部と、当該マス部を一端部側の建物下方側で支持しかつ他端部側が前記締結部材で前記床パネルの振動の腹となる部分における建物下方側の面に支持された板ばね部と、当該一端部側における建物上方側に取り付けられて当該床パネルに当接された減衰体と、を含んで構成された制振装置を備えている。
【００１４】
第４の態様に係る建物では、マス部、板ばね部及び減衰体を含んで制振装置が構成されており、板ばね部は、その一端部側の建物下方側でマス部を支持すると共に、その他端部側が締結部材で床パネルの振動の腹となる部分における建物下方側の面に支持されている。このため、建物の上階側の床部上に物が落ちたり、床部上を人が動いたときには、板ばね部はその一端部側を自由端とされると共にその他端部側を固定端とされた状態で振動し、それに伴いマス部も当該他端部側を中心として変位する。つまり、建物の上階側の床部上に物が落ちたり、床部上を人が動いたときに発生したエネルギーは、板ばね部の振動エネルギー及びマス部の運動エネルギーに変換される。そして、板ばね部の振動エネルギー及びマス部の運動エネルギーは、板ばね部の一端部側における建物上方側に取り付けられた減衰体が床パネルに当接されることで減衰される。
【００１５】
第５の態様に係る建物は、第４の態様に係る建物において、前記締結部材は、一対の前記軸部を備えると共に、前記頭部は当該軸部の建物上方側の部分同士を連結する連結板部を含んで構成されており、前記凹部は、一対の前記軸部がそれぞれ挿通されている一対の前記挿通部を当該挿通部の建物上方側で接続しており、前記板ばね部の前記他端部には、一対の前記軸部が挿通されている一対の挿通孔が形成されている。
【００１６】
第５の態様に係る建物では、締結部材の一対の軸部が建物上方側から、床パネルの一対の挿通部及び板ばね部の一対の挿通孔に挿通されている。
【００１７】
ところで、締結部材の一対の軸部がそれぞれ別部材とされている場合には、当該軸部に被締結部材を締結させるときに、当該軸部及び当該被締結部材が共廻りすることが考えられる。そして、軸部及び被締結部材の共廻りを抑制するためには、締結作業時に軸部を床パネルの建物上方側から支持することが必要になる。
【００１８】
ここで、本態様では、締結部材の頭部が一対の軸部の建物上方側の部分同士を連結する連結板部を含んで構成されると共に、床パネルの凹部が一対の挿通部を当該挿通部の建物上方側で接続している。このため、一方の軸部に被締結部材を締結させるときには、他方の軸部が床パネルから反力を受けることで当該軸部及び当該被締結部材の共廻りが抑制される。
【００１９】
第６の態様に係る建物は、第５の態様に係る建物において、前記凹部は、平面視で円形に形成された第１円形凹部と、平面視で円形に形成された第２円形凹部と、が局部的に連通されて構成されており、前記連結板部は、平面視で円形に形成されて前記第１円形凹部に納まる第１円板部と、平面視で円形に形成されて前記第２円形凹部に納まる第２円板部と、が局部的に連結されて構成されている。
【００２０】
第６の態様に係る建物では、第１円形凹部と第１円板部とが、第２円形凹部と第２円板部とがそれぞれ平面視で相似した形状とされており、連結板部と凹部との接触面積を増やすことができる。
【発明の効果】
【００２１】
以上説明したように、第１の態様に係る建物では、建物の床部及び天井部の構成の複雑化を招くことなく、重量床衝撃音を低減することができるという優れた効果を有する。
【００２２】
第２の態様に係る建物では、マス部の床パネルに対する固定を当該床パネルの建物下方側の面にタッピングネジ等を螺入して行う構成と比し、マス部を強固に固定することができるという優れた効果を有する。
【００２３】
第３の態様に係る建物では、建物の上階側の床部の遮音性の確保と施工性の確保との両立を図ることができるという優れた効果を有する。
【００２４】
第４の態様に係る建物では、制振装置によって建物の上階側の床部の振動を吸収し、より重量床衝撃音を低減することができるという優れた効果を有する。
【００２５】
第５の態様に係る建物では、制振装置の取付作業を簡略化することができるという優れた効果を有する。
【００２６】
第６の態様に係る建物では、締結部材の頭部を凹部に安定した状態で着座させることができるという優れた効果を有する。
【図面の簡単な説明】
【００２７】
【図１】本実施形態に係る建物の上階側の床部及び下階側の天井部の構成を示す断面図（図２の１−１線に沿って切断した状態を示す断面図）である。
【図２】本実施形態に係る建物の構成を示す斜視図である。
【図３】本実施形態に係る建物の上階側の床部の詳細な構成を示す断面図（図１の二点鎖線で囲んだ部分の拡大図）である。
【図４】本実施形態に係る建物の上階側に床部に配置された制振装置の構成を示す平面図である。
【図５】本実施形態に係る建物の上階側の床部に配置された締結部材の構成を示しており、（Ａ）は締結部材の平面図であり、（Ｂ）は締結部材の側面図である。
【図６】本実施形態に係る建物の上階側の床部に配置された制振装置の配置箇所を示す建物下方側から見た平面図（図１の６方向矢視図）である。
【図７】本実施形態の変形例に係る締結部材の構成を示しており、（Ａ）は締結部材の平面図であり、（Ｂ）は締結部材の側面図である。
【発明を実施するための形態】
【００２８】
以下、図１〜図６を用いて、本発明の実施形態に係る建物１０の一例について説明する。
【００２９】
まず、本実施形態に係る「建物１０」の全体構造について説明する。図２に示されるように、本実施形態に係る建物１０は、基礎１２、建物の下階としての「一階部分１４」、建物の上階としての「二階部分１６」及び図示しない屋根部分を含んで、二階建住宅として構成されている。
【００３０】
この建物１０は、鉄骨軸組み工法により構築されており、当該建物１０の躯体１８は、柱２０、２２及び梁材としての「梁２４」を含んで構成されている。詳しくは、柱２０は、基礎１２上に所定の間隔で立設されると共に、一階部分１４を構成している。また、梁２４は、柱２０の上部２０Ａ同士に架け渡されると共に当該上部２０Ａに支持されており、当該梁２４上には、二階部分１６を構成する柱２２が所定の間隔で立設されている。
【００３１】
柱２０は、建物上下方向に延在する四角筒状の本体部２０Ｂと、平面視で矩形の板状とされると共に当該柱２０の上部２０Ａ及び下部２０Ｃに溶接等の接合手段で接合された図示しないベースプレートとを含んで構成されている。また、ベースプレートの長手方向両端部における中央部には、挿通孔が形成されており、当該ベースプレートの四隅には雌ねじ部が形成されている。
【００３２】
上記のように構成された柱２０は、その建物下方側の部分が基礎１２上に載置されると共に、その建物上方側の部分で梁２４を支持している。詳しくは、柱２０のベースプレートの挿通孔に基礎１２から建物上方側に突出された図示しないアンカーボルトが挿通されると共に、当該アンカーボルトに建物上方側からナットが二つ螺合されること（ダブルナット）により基礎１２に取り付けられている。
【００３３】
一方、梁２４は、図１にも示されるように、Ｉ型鋼で構成されると共に、その建物上方側を構成する上側フランジ部２４Ａと、その建物下方側を構成する下側フランジ部２４Ｂと、上側フランジ部２４Ａと下側フランジ部２４Ｂとを繋ぐウェブ部２４Ｃとを備えている。なお、ウェブ部２４Ｃには、図示しない円形の貫通孔が梁２４の長手方向に適宜形成されている。また、上側フランジ部２４Ａ及び下側フランジ部２４Ｂには、梁２４の短手方向に間隔をあけて当該梁２４の長手方向に延びる二本の直線上に所定のピッチで図示しない挿通孔が形成されている。
【００３４】
上記のように構成された梁２４は、柱２０の上部２０Ａに対して、下側フランジ部２４Ｂの挿通孔と柱２０の建物上方側のベースプレートの雌ねじ部とが位置合わせされた状態で配置されている。そして、ベースプレートの建物上方側から図示しないボルトが雌ねじ部に螺合されることで、梁２４が柱２０に取り付けられている。なお、二階部分１６を構成する柱２２は、柱２０と同様の構成とされており、梁２４の上側フランジ部２４Ａの建物上方側に載置されて、柱２０と同様に梁２４に取り付けられている。
【００３５】
ここで、本実施形態では、梁２４に支持された一階部分１４の「天井部２６」及び二階部分１６の「床部２８」の構成に特徴がある。以下、本実施形態の要部である建物１０の天井部２６及び床部２８の構成について詳細に説明する。
【００３６】
まず、天井部２６の構成について説明する。図１に示されるように、天井部２６は、梁２４の建物下方側に配置されると共に、野縁受３０、野縁３２及び「天井材３４」を含んで構成されている。野縁受３０は、梁２４の長手方向と直交する方向に延在しており、その長手方向から見た断面形状がコ字状とされた鋼材で構成されている。この野縁受３０は、梁２４や当該梁２４の長手方向と直交する方向に延在する梁３６（図６参照）に、図示しない吊ボルト等の取付部材によって取り付けられて、梁２４の建物下方側に配置されている。
【００３７】
野縁３２は、野縁受３０の長手方向と直交する方向、すなわち梁２４の長手方向に延在しており、その長手方向から見た断面形状が建物上方側が開放されたコ字状とされた鋼材で構成されている。この野縁３２は、野縁受３０の建物下方側に当該野縁受３０の長手方向に複数本配置されると共に、図示しない取付部材によって当該野縁受３０に取り付けられている。そして、野縁３２の建物下方側すなわち梁２４の建物下方側には、天井材３４が配置されている。
【００３８】
天井材３４は、平面視で矩形の板状に形成された石膏ボードで構成されており、野縁３２の長手方向に沿って複数枚敷設されると共に、建物上下方向に複数枚（本実施形態では２枚）重ねられている。そして、天井材３４は、図示しないネイル等の取付部材によって野縁３２に取り付けられている。なお、天井材３４の仕上げ面には、図示しない仕上げ用の天井クロスが張られている。
【００３９】
一方、床部２８は、図３にも示されるように、「床パネル３８」、「遮音マット４０」、合板４１、パーチクルボード４２及びフローリング４４を含んで構成されている。床パネル３８は、軽量気泡コンクリート（ＡＬＣ）で構成されると共に、平面視で矩形の板状に形成されている。この床パネル３８は、その長手方向を梁２４の長手方向と直交する方向（梁３６の長手方向）とされて、梁２４の上側フランジ部２４Ａの建物上方側の面に当該梁２４の長手方向に沿って所定枚数敷設されている。そして、床パネル３８は、図示しない取付部材によって、梁２４や梁３６に取り付けられている。なお、この床パネル３８には、後述するように一対の「挿通部４６」及び「凹部４８」が形成されている。
【００４０】
遮音マット４０は、床パネル３８の建物上方側の面に当該床パネル３８の長手方向及び短手方向に沿って複数枚敷設されると共に、図示しない接着剤等による接合部によって当該床パネル３８に張り付けられている。そして、遮音マット４０の建物上方側に、合板４１、パーチクルボード４２及びフローリング４４が建物上下方向にこの順に重ねられて敷設されることで床部２８が構成されている。なお、図２には図示していないが、二階部分１６の一部を構成する部屋５０の間仕切壁５２は、梁２４の建物上方側に床部２８を介した状態で立設されている。
【００４１】
そして、図６に示されるように、床パネル３８の建物下方側には、複数の「制振装置５４」が取り付けられている。この制振装置５４は、図３及び図４にも示されるように、「板ばね部５６」、「マス部５８」及び「減衰体６０」を含んで構成されている。
【００４２】
板ばね部５６は、その上面を構成する上壁部５６Ａと、その側面を構成する一対の側壁部５６Ｂと、当該側壁部５６Ｂの建物下方側の周縁部に連続して設けられた一対のフランジ部５６Ｃとを含んで、鋼製の板材がプレス加工されることで構成されている。
【００４３】
より詳しくは、上壁部５６Ａは、平面視で矩形状に構成されており、その長手方向に延在する周縁部からは、建物下方側に側壁部５６Ｂが延出されている。また、側壁部５６Ｂの建物下方側の周縁部からは、上壁部５６Ａの短手方向でかつ当該上壁部５６Ａと反対側にフランジ部５６Ｃが延出されている。つまり、板ばね部５６は、その長手方向から見た断面視で建物下方側が開放されたハット状に形成されている。
【００４４】
図３に詳しく示されるように、板ばね部５６は、その長手方向の「他端部５６Ｄ」から「一端部５６Ｅ」への所定の長さの範囲では、そのフランジ部５６Ｃの板厚方向の寸法（以下、高さ寸法Ｈと称する）が、一定とされており、この部分が床パネル３８に取り付けられている。なお、以下では、この部分を基部５６Ｆと称することとする。また、板ばね部５６における基部５６Ｆから一端部５６Ｅへの所定の長さの範囲では、高さ寸法Ｈが基部５６Ｆから一端部５６Ｅに向かうにしたがって小さくなっている。なお、以下では、この部分を傾斜部５６Ｇと称することとする。そして、板ばね部５６における傾斜部５６Ｇより一端部５６Ｅ側の範囲では、高さ寸法Ｈが一定とされており、この部分の先端部にはマス部５８及び減衰体６０が取り付けられている。なお、以下では、この部分を取付部５６Ｈと称することとする。
【００４５】
ところで、板ばね部５６の側壁部５６Ｂ同士の間隔は、当該板ばね部５６の一端部５６Ｅから他端部５６Ｄ間において、略一定とされている。つまり、板ばね部５６におけるその長手方向から見た断面の断面二次モーメントＩは、基部５６Ｆでは一定とされており、傾斜部５６Ｇでは他端部５６Ｄから一端部５６Ｅに向かうにつれて小さくなっており、取付部５６Ｈでは基部５６Ｆよりも小さい値で一定とされている。そして、取付部５６Ｈ側を構成する上壁部５６Ａの一端部５６Ｅ側には、減衰体６０を取り付けるための貫通孔６２が形成されている。また、基部５６Ｆ側を構成する上壁部５６Ａの他端部５６Ｄ側には、板ばね部５６の長手方向に所定の間隔をあけて当該板ばね部５６を床パネル３８に取り付けるための一対の「挿通孔６４」が形成されている。さらに、フランジ部５６Ｃの一端部５６Ｅ側には、マス部５８を取り付けるための図示しない挿通孔が形成されている。
【００４６】
マス部５８は、鉄製とされると共に、平面視で円形の円柱状又は円板状に形成されており、当該マス部５８の建物上方側の面には、板ばね部５６のフランジ部５６Ｃの挿通孔に対応する一対の図示しない雌ねじ部が形成されている。そして、マス部５８は、その建物上方側の面がフランジ部５６Ｃの建物下方側の面に当接された状態で、ボルト６６（取付部材）がフランジ部５６Ｃ側から当該マス部５８の雌ねじ部に螺合されることで、板ばね部５６に取り付けられている。つまり、マス部５８は、板ばね部５６の一端部５６Ｅ側の建物下方側に支持されている。
【００４７】
減衰体６０は、円錐台状の本体部６０Ａと、当該本体部６０Ａにおける大径側の底面の中央に当該本体部６０Ａと一体に設けられた係止部６０Ｂとを含んで、弾性を有するゴム材で構成されている。そして、減衰体６０は、本体部６０Ａの大径側の底面が板ばね部５６の上壁部５６Ａに当接された状態で、係止部６０Ｂが上壁部５６Ａの貫通孔６２に係止されることで、板ばね部５６に取り付けられている。つまり、減衰体６０は、板ばね部５６の一端部５６Ｅ側の建物上方側に取り付けられている。そして、上記のように構成された制振装置５４は、床パネル３８に形成された挿通部４６及び凹部４８に「締結部材６８」で固定されている。
【００４８】
図５及び図６にも示されるように、挿通部４６及び凹部４８は、一対の挿通部４６と一つの凹部４８とで組とされて、床パネル３８の振動の腹となる部分（本実施形態では、床パネル３８の中央部）に三組配設されている。
【００４９】
凹部４８は、「第１円形凹部４８Ａ」と「第２円形凹部４８Ｂ」とを含んで構成されており、第１円形凹部４８Ａ及び第２円形凹部４８Ｂは、それぞれ座掘りドリル等によって床パネル３８が、その建物上方側の面から平面視で同径の円状に座掘りされて形成されている。また、第１円形凹部４８Ａと第２円形凹部４８Ｂとの平面視における中心間の距離は、これらの直径よりも短い距離に設定されており、第１円形凹部４８Ａと第２円形凹部４８Ｂとは、局部的に連通された状態となっている。
【００５０】
一方、挿通部４６は、第１円形凹部４８Ａ及び第２円形凹部４８Ｂのそれぞれの底壁部における中心部がドリル等によって建物上下方向に貫通されて形成されている。つまり、第１円形凹部４８Ａに対応する挿通部４６は当該第１円形凹部４８Ａと、第２円形凹部４８Ｂに対応する挿通部４６は当該第２円形凹部４８Ｂと、それぞれ連続しかつ同軸上に形成されている。また、上述したように、第１円形凹部４８Ａと第２円形凹部４８Ｂとは連通されているため、一対の挿通部４６は、当該挿通部４６の建物上方側で凹部４８によって接続された状態となっている。
【００５１】
一方、締結部材６８は、図５（Ａ）及び図５（Ｂ）に示されるように、鋼製の板材で形成された「連結板部７０」と二本のセレーションボルト７２とが一体となって構成されている。詳しくは、連結板部７０は、平面視で円形に形成された「第１円板部７０Ａ」と、平面視で当該第１円板部７０Ａと同径の円形に形成された「第２円板部７０Ｂ」とを含んで構成されている。
【００５２】
また、第１円板部７０Ａは第１円形凹部４８Ａに、第２円板部７０Ｂは第２円形凹部４８Ｂにそれぞれ納まる大きさとされると共に、第１円板部７０Ａ及び第２円板部７０Ｂの中央部には、セレーションボルト７２が取り付けられる図示しない貫通孔が形成されている。さらに、第１円板部７０Ａと第２円板部７０Ｂとの平面視における中心間の距離は、これらの直径よりも短い距離に設定されており、第１円板部７０Ａと第２円板部７０Ｂとは、局部的に連結された状態となっている。換言すれば、連結板部７０は、平面視で瓢箪形状とされており、当該連結板部７０が納まる凹部４８も平面視で瓢箪形状とされている。なお、連結板部７０における第１円板部７０Ａと第２円板部７０Ｂとの境界部には、貫通孔７４が形成されている。
【００５３】
一方、セレーションボルト７２は、頭部７２Ａ、先端部側に雄ねじ部が形成された「軸部７２Ｂ」及び当該頭部７２Ａと当該軸部７２Ｂとの境界部に形成されたセレーション部７２Ｃを含んで構成されている。そして、第１円板部７０Ａ及び第２円板部７０Ｂの貫通孔のそれぞれに、セレーションボルト７２のセレーション部７２Ｃが、当該セレーションボルト７２の頭部７２Ａが連結板部７０に当接されるまで圧入されることで締結部材６８が構成されている。つまり、締結部材６８は、セレーションボルト７２の頭部７２Ａと連結板部７０とを含んで構成された「頭部６８Ａ」と一対の軸部７２Ｂとを備えた構成とされている。なお、上述した挿通部４６は、締結部材６８の軸部７２Ｂを挿通可能な形状とされている。
【００５４】
図３に戻り、制振装置５４は、板ばね部５６の他端部５６Ｄ側、具体的には上壁部５６Ａにおける基部５６Ｆを構成する部分が、床パネル３８の振動の腹となる部分における建物下方側の面に当接された状態で配置されている。そして、締結部材６８の軸部７２Ｂが床パネル３８の挿通部４６及び板ばね部５６の挿通孔６４に挿通されると共に、締結部材６８の頭部６８Ａが床パネル３８の凹部４８に着座された状態で当該軸部７２Ｂに建物下方側から被締結部材としての「ナット７６」が螺合されている。これにより、制振装置５４が床パネル３８に取り付けられている。なお、制振装置５４のマス部５８を中心として見ると、当該マス部５８は、板ばね部５６を介して床パネル３８の振動の腹側の部分に対して固定されていると捉えることができる。また、制振装置５４が床パネル３８に取り付けられた状態において、減衰体６０の上面は、当該床パネル３８の建物下方側の面に当接されている。
【００５５】
さらに、図６に示されるように、制振装置５４は、それぞれ板ばね部５６の他端部５６Ｄ側を床パネル３８の中央部側とされると共に、板ばね部５６の一端部５６Ｅ側を床パネル３８の長手方向の端部側とされて配置されている。さらに、制振装置５４を３つ合わせた重量は、床パネル３８の重量の１７％程度に設定されている。なお、制振装置５４は、平面視で、その長手方向の中心線が床パネル３８の長手方向の中心線と平行になるように配置されているが、床パネル３８の形状等に応じて、その中心線が床パネル３８の中心線に対して傾くように配置されていてもよい。
【００５６】
＜本実施形態の作用及び効果＞
次に、本実施形態の作用並びに効果を説明する。
【００５７】
本実施形態では、軽量気泡コンクリート製の床パネル３８で建物１０の二階部分１６における床部２８の一部が構成されており、当該床パネル３８は当該床部２８を支持する梁２４の建物上方側の面に配置されている。一方、二階部分１６と建物上下方向に隣接した一階部分１４における天井部２６は、その一部が石膏ボード製の天井材３４で構成されており、当該天井材３４は二階部分１６の床部２８を支持する梁２４の建物下方側に配置されている。このため、本実施形態では、建物１０の二階部分１６の床部２８上に物が落ちたり、床部２８上を人が動いたときに発生する重量床衝撃音が建物１０の一階部分１４に伝達することを抑制することができる。
【００５８】
さらに、本実施形態では、床パネル３８の建物下方側にマス部５８が配置されており、当該マス部５８は当該床パネルの振動の腹側の部分に対して固定されている。これにより、建物１０の二階部分１６の床部２８上に物が落ちたり、床部２８上を人が動いたときに床パネル３８に発生する振動を抑制することができ、ひいては重量床衝撃音の発生を抑制することができる。したがって、本実施形態では、建物１０の床部２８及び天井部２６の構成の複雑化を招くことなく、重量床衝撃音を低減することができる。
【００５９】
また、本実施形態では、マス部５８の固定に用いられる締結部材６８の軸部７２Ｂが、床パネル３８の挿通部４６に建物上方側から挿通される。一方、この締結部材６８の頭部６８Ａは、床パネル３８の凹部４８に納まると共に建物上方側から当該凹部４８に着座される。そして、この締結部材６８の軸部７２Ｂに床パネル３８の建物下方側からナット７６が締結されることでマス部５８を床パネル３８に対して固定することができる。このため、本実施形態では、マス部５８の床パネル３８に対する固定を当該床パネル３８の建物下方側の面にタッピングネジ等を螺入して行う構成と比し、マス部５８を強固に固定することができる。
【００６０】
また、本実施形態では、床パネル３８の建物上方側の面に遮音マット４０を敷設することで、建物１０の二階部分１６の一階部分１４に対する遮音性を高めることができる。さらに、遮音マット４０によって、床パネル３８の凹部４８が建物上方側から覆われるため、建物１０の二階部分１６の床部２８にフローリング４４等を敷設するときの施工性を確保することができる。このため、本実施形態では、建物１０の二階部分１６の床部２８の遮音性の確保と施工性の確保との両立を図ることができる。
【００６１】
また、本実施形態では、マス部５８、板ばね部５６及び減衰体６０を含んで制振装置５４が構成されており、板ばね部５６は、その一端部５６Ｅ側の建物下方側でマス部５８を支持すると共に、その他端部５６Ｄ側が締結部材６８で床パネル３８の振動の腹となる部分における建物下方側の面に支持されている。このため、建物１０の二階部分１６の床部２８上に物が落ちたり、床部２８上を人が動いたときには、板ばね部５６はその一端部５６Ｅ側を自由端とされると共にその他端部５６Ｄ側を固定端とされた状態で振動し、それに伴いマス部５８も当該他端部５６Ｄ側を中心として変位する。つまり、建物１０の二階部分１６の床部２８上に物が落ちたり、床部２８上を人が動いたときに発生したエネルギーは、板ばね部５６の振動エネルギー及びマス部５８の運動エネルギーに変換される。そして、板ばね部５６の振動エネルギー及びマス部５８の運動エネルギーは、板ばね部５６の一端部５６Ｅ側における建物上方側に取り付けられた減衰体６０が床パネル３８に当接されることで減衰される。したがって、本実施形態では、制振装置５４によって建物１０の二階部分１６の床部２８の振動を吸収し、より重量床衝撃音を低減することができる。
【００６２】
また、本実施形態では、締結部材６８の一対の軸部７２Ｂが建物上方側から、床パネル３８の一対の挿通部４６及び板ばね部５６の一対の挿通孔６４に挿通されている。
【００６３】
ところで、締結部材６８の一対の軸部７２Ｂがそれぞれ別部材とされている場合には、当該軸部７２Ｂにナット７６を締結させるときに、当該軸部７２Ｂ及び当該ナット７６が共廻りすることが考えられる。そして、軸部７２Ｂ及びナット７６の共廻りを抑制するためには、締結作業時に軸部７２Ｂを床パネル３８の建物上方側から支持することが必要になる。
【００６４】
ここで、本実施形態では、締結部材６８の頭部６８Ａが一対の軸部７２Ｂの建物上方側の部分同士を連結する連結板部７０を含んで構成されると共に、床パネル３８の凹部４８が一対の挿通部４６を当該挿通部４６の建物上方側で接続している。このため、一方の軸部７２Ｂにナット７６を締結させるときには、他方の軸部７２Ｂが床パネル３８から反力を受けることで当該軸部７２Ｂ及び当該ナット７６の共廻りが抑制される。したがって、本実施形態では、制振装置５４の取付作業を簡略化することができる。
【００６５】
加えて、本実施形態では、第１円形凹部４８Ａと第１円板部７０Ａとが、第２円形凹部４８Ｂと第２円板部７０Ｂとがそれぞれ平面視で相似した形状とされており、連結板部７０と凹部４８との接触面積を増やすことができる。したがって、本実施形態では、締結部材６８の頭部６８Ａを凹部４８に安定した状態で着座させることができる。
【００６６】
＜変形例＞
次に、図７を用いて本実施形態の変形例について説明する。この変形例では、締結部材８０が、連結板部７０と二本の六角ボルト８２とが一体となって構成されている。具体的には、締結部材８０は、六角ボルト８２の軸部８２Ａが連結板部７０の貫通孔に挿通されると共に、当該六角ボルト８２の頭部８２Ｂが連結板部７０に当接された状態で当該連結板部７０に溶接等による接合部８４で接合されることで構成されている。このような、構成によれば、建物１０の施工時に用いられる六角ボルトを締結部材８０の材料として流用することが可能となる。
【００６７】
＜上記実施形態の補足説明＞
（１）  上述した実施形態では、床パネル３８に制振装置５４を配置したが、当該床パネル３８にマス部５８のみを取り付ける構成としてもよい。一例として、床パネル３８の振動の腹となる部分に、平面視で円形の凹部及び当該凹部と連続する挿通部４６を設けると共に、マス部５８の中央部に挿通部を設け、締結部材等でマス部５８を床パネル３８に取り付ける構成としてもよい。なお、床パネル３８に配置されるマス部５８の個数や配置箇所は、床パネル３８の重量や想定される振動モードに応じて適宜設定される。これは、上述した実施形態における制振装置５４についても同様である。
【００６８】
（２）  また、上述した実施形態では、凹部４８が第１円形凹部４８Ａと第２円形凹部４８Ｂとが直接連通された形状とされていたが、これに限らない。すなわち、第１円形凹部４８Ａ及び第２円形凹部４８Ｂを縮径して形成すると共に、これらを溝部で連通させる構成としてもよい。換言すれば、凹部４８を平面視で鉄アレイ形状とする構成として、連結板部７０の形状もこれに対応した形状とさせる構成も取り得る。さらに、凹部４８を平面視で矩形状に形成して一対の挿通部４６を当該挿通部４６の建物上方側で接続する構成としてもよい。また、この場合には、連結板部７０は凹部４８の形状に合わせて、平面視で矩形の板状等に形成される。
【符号の説明】
【００６９】
１０      建物
１４      一階部分（建物の下階）
１６      二階部分（建物の上階）
２４      梁（梁材）
２６      天井部
２８      床部
３４      天井材
３８      床パネル
４０      遮音マット
４６      挿通部
４８      凹部
４８Ａ    第１円形凹部
４８Ｂ    第２円形凹部
５４      制振装置
５６      板ばね部
５６Ｄ    他端部
５６Ｅ    一端部
５８      マス部
６０      減衰体
６４      挿通孔
６８      締結部材
６８Ａ    頭部
７０      連結板部
７０Ａ    第１円板部
７０Ｂ    第２円板部
７２Ｂ    軸部
７６      ナット（被締結部材）
８０      締結部材
８２Ａ    軸部
【図１】
2017155437.tif 000003
【図２】
2017155437.tif 000004
【図３】
2017155437.tif 000005
【図４】
2017155437.tif 000006
【図５】
2017155437.tif 000007
【図６】
2017155437.tif 000008
【図７】
2017155437.tif 000009